(57)【要約】【課題】 フレーム材料の節約とそれによる軽量化および製造組立時における組立容易性を実現し、同時に側面方向における十分な強度を維持できるディスクドライブを提供する。【解決手段】 フレーム４０と、フレーム４０の周囲を覆うケーシングとを備えたディスクドライブにおいて、このケーシングは、フレーム４０の上部を覆うコの字状の断面を有する上カバー４１と、フレーム４０の下部を覆うコの字状の断面を有する下カバー４２とから構成される。フレーム側板４０１は、上カバー側板４１２および下カバー側板４２２と部分的に重なり合うことによって側面方向の十分な強度を備えることができる。さらに、製造組立時における上カバーの位置決め用係合部を有し、この係合部は、フレーム側板４０１に設けられた係合凸部４０２と、上カバー側板４１２に設けられた係合孔４１３とから構成されている。【選択図】  図６
2006018908.tif 000002
【特許請求の範囲】
【請求項１】
底板と該底板の左右両側に側板とを有する略コの字状の断面を有するフレームと、該フレームの周囲を覆うケーシングとを備えたディスクドライブにおいて、
前記ケーシングは、天板と該天板の左右両側に側板を有し、前記フレームの上部を覆う略コの字状の断面を有する上カバーと、底板と該底板の左右両側に側板を有し、前記フレームの下部を覆う略コの字状の断面を有する下カバーと、から構成され、
前記フレームの側板は、前記上カバーの側板と部分的に重なり合う程度の高さおよびサイズに形成されているとともに、前記ケーシングの側部において、前記上カバーと前記下カバーが部分的に重なり合うように設けられていることを特徴とするディスクドライブ。
【請求項２】
前記フレームは、製造組立時における上カバーの位置決め用係合部を有し、該係合部は、前記フレームの側板に設けられた係合凸部と、前記上カバーの側板に設けられると共に前記係合凸部に係合する係合孔とから構成されている請求項１に記載のディスクドライブ。
【請求項３】
前記フレームの側板と、前記上カバーの側板下方領域と、前記下カバーの側板上方領域とが、ディスクドライブ内部から順に交互に重なり前記フレーム側部において３重構造を形成していることを特徴とする請求項１に記載のディスクドライブ。
【請求項４】
前記上カバーの上方領域には水平方向に延在したしぼりが設けられ、該しぼりはその突出面が前記下カバーの側板外面と同一面上に形成されていることを特徴とする請求項３に記載のディスクドライブ。
【請求項５】
前記下カバーの側板上方領域の一部が前記上カバーの側板下方領域の内側に折り込まれていることを特徴とする請求項３に記載のディスクドライブ。
【請求項６】
前記フレームの側板と、前記下カバーの側板上方領域と、前記上カバーの側板下方領域とが、ディスクドライブ内部から順に交互に重なり前記フレーム側部において３重構造を形成していることを特徴とする請求項１に記載のディスクドライブ。
【請求項７】
前記下カバーの下方領域には水平方向に延在したしぼりが設けられ、該しぼりはその突出面が前記上カバーの側板外面と同一面上に形成されていることを特徴とする請求項６に記載のディスクドライブ。
【請求項８】
前記上カバーの側板下方領域の一部が前記下カバーの側板上方領域の内側に折り込まれていることを特徴とする請求項６に記載のディスクドライブ。
【発明の詳細な説明】
【技術分野】
【０００１】
本発明はフロッピーディスクドライブ等のディスクドライブに関し、特に、そのフレーム及び上下カバーの構造に関する。
【背景技術】
【０００２】
周知のように、フロッピーディスクドライブ（以下、単に「ディスクドライブ」ともいう）は、円盤状の磁気記録媒体に対してデータの記録再生を行うための装置である。このようなディスクドライブは、ラップトップ・パソコンやノート型パソコン、あるいはノート型ワープロ等の携帯型電子機器に搭載される。
【０００３】
このようなディスクドライブは、円盤状の磁気記録媒体に対してデータの読出し／書込みを行う磁気ヘッドと、この磁気ヘッドをディスクに対して所定の半径方向に沿って移動可能に先端で支持するキャリッジアセンブリと、このキャリッジアセンブリを上記所定の半径方向に沿って移動させるステッピングモータと、ディスクを保持しつつ磁気記録媒体を回転駆動するスピンドルモータ等のＤＤ（ダイレクトドライブ）モータとを有している。
【０００４】
次に、図９および図１０を参照して、従来のフレーム及び上下カバーの構造を有する３．５インチ型フロッピーディスクドライブについて説明する。図９は、従来のディスクドライブの分解斜視図である。図１０は、従来のディスクドライブの上カバーを取り外した状態における斜視図である。また、図１１は、従来のディスクドライブの側面図、図１２は、従来のディスクドライブのフレーム１３、上カバー３１及び下カバー３２の相互関係を示す断面説明図である。
【０００５】
挿入されたフロッピーディスクは、ディスクテーブル１１上に、その回転軸とディスクの中心軸とが一致した状態で保持される。ディスクテーブル１１はフレーム１３の表面上で回転自在に支持されている。ディスクテーブル１１は、フレーム１３の凹部に設けられたスピンドルモータ（ＤＤモータ）３０によって回転駆動され、これによって円盤状の磁気記録媒体が回転する。また、フレーム１３の裏面には、多数の電子部品が搭載されたプリント配線基板１２が取付けられている。
【０００６】
ディスクドライブは、データの読出し／書込みを行うための上下一対の磁気ヘッド１４（上側磁気ヘッドのみを図示する）を備えている。磁気ヘッド１４は、ディスクドライブの背面側に設けられたキャリッジアセンブリ１５にその先端で支持されている。キャリッジアセンブリ１５は、フレーム１３の上方に配置されており、磁気ヘッド１４をその先端でディスクに対して所定の半径方向（図１０の矢印Ｄで示す方向）に沿って移動可能に支持している。
【０００７】
また、フレーム板１３１には、ステッピングモータ１６が固定されている。ステッピングモータ１６はキャリッジアセンブリ１５を所定の半径方向Ｄに沿ってリニアに駆動する。即ち、ステッピングモータ１６のリードスクリューが回転すると、キャリッジアセンブリに設置されているピンが、リードスクリューの谷の部分に沿って動かされ、これによってキャリッジアセンブリ１５全体が所定の半径方向Ｄに沿って移動する。
【０００８】
ガイドバー１７は所定の半径方向Ｄに対して平行に延在し、キャリッジアセンブリ１５を所定の半径方向Ｄに沿って案内する。これによって、キャリッジアセンブリ１５全体がフレーム１３の上方に配置される。
【０００９】
尚、キャリッジアセンブリ１５からフレキシブル・プリンテッド・ケーブル（ＦＰＣ）１５２がガイドバー１７の方向に延在しており、このＦＰＣ１５２はフレーム１３の裏面に取付けられたプリント配線基板１２に電気的に接続される。
【００１０】
ディスクドライブは、イジェクトプレート２１とディスクホルダ２２とをさらに有する。フレーム１３、イジェクトプレート２１、およびディスクホルダ２２は、金属板に打抜き加工、プレス加工、曲げ加工等を施すことにより形成される。
【００１１】
次に、図１１及び図１２を参照しつつ、このディスクドライブのフレーム１３、上カバー３１及び下カバー３２の相互関係について説明する。
【００１２】
上カバー３１と下カバー３２はフレーム周囲を覆うケーシングを構成する。この上カバー３１はフレーム１３の上部を覆うカバーであり、また、下カバー３２はフレーム１３の下部を覆うカバーである。そして、上カバー３１の天板の左右両側に設けられた上カバー側板３１１と、下カバー３２の底板の左右両側に設けられた下カバー側板３２１は、それぞれフレーム１３の底板の左右両側に設けられたフレーム側板１３５を上下の方向から覆うように取付けられている。このため、上カバー側板下縁３１２と下カバー側板上縁３２２は、フレーム側板１３５の外側の中ほどの位置で、互いに対向して付き合わされた状態となっている。また、上カバー天板裏面３１３にフレーム側板上縁１３６が当接することにより、製造組立時における上カバー３１の位置決めを行っている。このケーシングは、コンピュータ本体の所定のスロット（いわゆる１インチベイスロット）に装着される場合には、予め決められた所定のサイズになるように設計される。
【発明の開示】
【発明が解決しようとする課題】
【００１３】
上記フロッピーディスクドライブでは、製造組立時における上カバー３１の高さ方向における位置決めを、フレーム側板上縁１３６が上カバー天板裏面３１３に当接することによって行っている。このため、フレーム側板１３５には、上カバー３１の位置決めに必要な高さ（図１２における符号ｈ１）が求められる。このため、この高さｈ１を確保するために、フレーム側板１３５が大きくなり、その材料（金属板材等）が必要となるという問題点があった。
【００１４】
さらに、このフレーム側板１３５は、ケーシング側部への負荷に対して十分な強度を必要とするため、このフレーム側板１３５の高さを単に低くすると、ディスクドライブの側面における強度の低下を招くという問題点があった。
【００１５】
そこで、本発明の課題は、フレーム材料の節約とそれによる軽量化および製造組立時における組立容易性を実現し、同時に側面方向における十分な強度を維持できるディスクドライブを提供することを目的とする。
【課題を解決するための手段】
【００１６】
本発明に係るディスクドライブは、底板と該底板の左右両側に側板とを有する略コの字状の断面を有するフレームと、該フレームの周囲を覆うケーシングとを備えたディスクドライブにおいて、前記ケーシングは、天板と該天板の左右両側に側板を有し、前記フレームの上部を覆う略コの字状の断面を有する上カバーと、底板と該底板の左右両側に側板を有し、前記フレームの下部を覆う略コの字状の断面を有する下カバーと、から構成され、前記フレームの側板は、前記上カバーの側板と部分的に重なり合う程度の高さおよびサイズに形成されているとともに、前記ケーシングの側部において、前記上カバーと前記下カバーが部分的に重なり合うように設けられていることを特徴とする。
【００１７】
本発明に係るディスクドライブは、以上のように構成することにより、フレームの側板を小さくすることができ、それによる金属材料の節約と軽量化が実現され、また上カバーと下カバーを部分的に重なり合うようにすることにより、側面方向における十分な強度も確保できる。  本発明に係るディスクドライブは、製造組立時における上カバーの位置決め用係合部を有し、該係合部は、前記フレームの側板に設けられた係合凸部と、前記上カバーの側板に設けられると共に前記係合凸部に係合する係合孔とから構成されていることが好ましい。このように構成することにより、フレームに対して上カバーの位置を確実に位置決めできる。
【００１８】
また、本発明に係るディスクドライブは、前記フレームの側板と、前記上カバーの側板下方領域と、前記下カバーの側板上方領域とが、ディスクドライブ内部から順に交互に重なり前記フレーム側部において３重構造を形成していることが好ましい。
【００１９】
さらに、本発明に係るディスクドライブは、前記上カバーの側板上方領域に水平方向に延在したしぼりが設けられ、該しぼりはその突出面が前記下カバーの側板外面と同一面上に形成されていることが好ましい。
【００２０】
さらに、本発明に係るディスクドライブは、前記下カバーの側板上方領域の一部が前記上カバーの側板下方領域の内側に折り込まれていることが好ましい。
【００２１】
さらに、本発明に係るディスクドライブは、前記フレームの側板と、前記下カバーの側板上方領域と、前記上カバーの側板下方領域とが、ディスクドライブ内部から順に交互に重なり前記フレーム側部において３重構造を形成していることが好ましい。
【００２２】
さらに、本発明に係るディスクドライブでは、前記下カバーの側板下方領域に水平方向に延在したしぼりが設けられ、該しぼりはその突出面が前記上カバーの側板外面と同一面上に形成されていることが好ましい。
【００２３】
さらに、本発明に係るディスクドライブは、前記上カバーの側板下方領域の一部が前記下カバーの側板上方領域の内側に折り込まれていることが好ましい。
【００２４】
本発明の他の目的、作用及び効果は。図面を参照して行う以下の実施形態の説明から、より明らかとなるであろう。
【発明を実施するための最良の形態】
【００２５】
以下、本発明の実施形態によるディスクドライブについて詳細に説明する。本実施形態のディスクドライブは、フレームと上下カバーを除き、図９ないし図１２に示した従来のディスクドライブと同様の内部構造を備えている。
【００２６】
図１は、本発明の実施形態におけるフレームの斜視図である。図２は、本発明の実施形態における上カバーの斜視図である。また、図３は、本発明の実施形態における下カバーの斜視図、図４は、本発明の実施形態におけるフレームと下カバーを組み合わせた状態の斜視図である。図５は本発明の実施形態におけるディスクドライブの側面図である。図６は図５に示す断面線Ａの断面図であり、図７は図５に示す断面線Ｂの断面図である。また、図８は図５に示す千鳥格子状の連結部Ｃの部分拡大斜視図である。
【００２７】
図１に示すように、フレーム４０は一枚の金属板から一体に形成されている。ディスクドライブの幅方向の左右両側にはフレーム側板４０１が上方に向かって折り曲げて設けられており、このためフレーム４０は略コの字状の断面を備えている。フレーム側板４０１の外側には、係合凸部４０２が設けられており、後述するように上カバー側板４１２に設けられている係合孔４１３と係合する。
【００２８】
このフレーム４０を、上述した従来のディスクドライブのフレーム１３（図１０参照）と比較すると、フレーム全体の大きさが小型化され、さらにフレーム側板４０１の高さがフレーム１３の高さの約１／２程度となっている。そのため、フレームの金属材料を節約でき、またそれによる軽量化を実現している。本発明では、このようなフレーム４０の小型化により生じる強度の低下などの様々な技術的課題を解決するために、フレーム側板と後述する上カバー側板および下カバー側板とが部分的に重なり合うというケーシング側面の補強構造や製造組立時における上カバーの位置決め構造を開発し、後述するように、千鳥格子状の連結部や上カバー側板のしぼりを設けている。
【００２９】
図２に示すのは上カバー４１であり、１枚の金属板から一体に形成されている。ディスクドライブの幅方向の左右両側には側板４１２が下方に向かって折り曲げて設けられており、このため上カバー４１は略コの字状の断面を備えている。上カバー側板４１２の下方領域には係合孔４１３が設けられており、後述するように係合凸部４０２と係合する。
【００３０】
さらに、上カバー側板４１２の上方領域には、水平方向に延在したしぼり４１４が設けられている。後述するようにこのしぼり４１４は、その突出面が下カバー側板４２２の外面と同一面上に形成されている。
【００３１】
図３に示すのは下カバー４２であり、１枚の金属板から一体に形成されている。ディスクドライブの幅方向の左右両側には下カバー側板４２２が上方に向かって折り曲げて設けられており、このため下カバー４２は略コの字状の断面を備えている。
【００３２】
この下カバー４２の左右方向の幅は上記上カバー４１の左右方向の幅よりも広く、後述する千鳥格子状の連結部Ｃを除き、下カバー４２の内側に上カバー４１が密着して嵌め込むことができる。
【００３３】
図４はフレーム４０と下カバー４２を組み合わせた状態を示しており、下カバー側板４２２の左右方向の幅は、フレーム側板４０１の左右方向の幅よりも広く、フレーム４０が、下カバー４２の内側に位置するように設計されている。フレーム側板４０１と下カバー側板４２２との間には隙間が設けられており、本実施例ではこの隙間に上カバー側板を挿入し、取付けることができる。
【００３４】
次に、上記のフレーム４０、上カバー４１及び下カバー４２を組み合わせた状態について説明する。
【００３５】
図６に示すように、断面略コの字状のフレーム４０の上部は断面略コの字状の上カバー４１によって覆われており、また、下部は断面略コの字状の下カバー４２によって覆われている。フレーム側板４０１の高さｈ２は、上カバーの天板裏面４１１に達しておらず、上カバー側板４１２の高さの約１／２である。
【００３６】
フレーム側板４０１の外側に沿うように上カバー側板４１２が配設されている。このフレーム側板４０１の外側に設けた係合凸部４０２は、上カバー側板４１２に打抜いて形成された係合孔４１３と係合する。この係合凸部４０２と係合孔４１３の係合により、上カバー４１の高さ方向および前後方向における位置決めを行う。
【００３７】
下カバー側板４２２は、上カバー側板４１２のさらに外側に配設されている。そして、図６に示すｈ３の高さの範囲において、フレーム側板４０１、上カバー側板４１２の下方領域、下カバー側板４２２の上方領域が、ディスクドライブの内側から順に重なり合うように配設される。このため、高さｈ３の領域においては、３枚の側板による３重構造となっている。この３重構造は、図５に示す断面線Ｂの断面図である図７においても維持されている。
【００３８】
また、図６及び図７に示すように、上カバー側板４１２の上方領域に設けられているしぼり４１４の突出面が下カバー側板４２２の外面と同一面上に設けられている。このため、ケーシングの側面における上カバー側板４１２と下カバー側板４２２との段差が解消され、略フラットに形成されている。
【００３９】
図５に示す千鳥格子状の連結部Ｃは、図８に示すように、下カバー側板４２２の一部を内側に折り曲げて形成した折り曲げ部４２３が設けられている。この折り曲げ部４２３は、上カバー側板４１２の内側に位置することになる。このため、この千鳥格子状の連結部Ｃにおいては、下カバー側板４２２の上方領域の一部が、上カバー側板４１２の下方領域の内側に折り込まれており、上カバー側板４１２と下カバー側板４２２が千鳥格子状に交互に配置されていることになる。
【００４０】
以下、本実施形態の作用効果について説明する。
上記のように、フレーム側板４０１は、上カバー側板４１２と部分的に重なり合う程度の高さおよびサイズに形成されているとともに、上カバー４１と下カバー４２から構成されるケーシングの側部において、上カバー４１と下カバー４２が部分的に重なり合うように設けられている。この構成により、フレーム側板４０１の材料を大幅に節減することが可能となり、それによる軽量化も実現できる。また、その材料の節減によるケーシング側部における強度の低下は、上カバー側板４１２と下カバー側板４２２とが部分的に重なり合うように設けられることにより補うことができる。
【００４１】
さらに、製造組立時における上カバー４１の位置決め用係合部を有し、この係合部は、フレーム側板４０１に設けられた係合凸部４０２と、上カバー側板４１２に設けられると共に係合凸部４０２に係合する係合孔４１３とから構成されている。このため、フレーム側板４０１の高さを低くしても、製造組立時における上カバー４１の位置決めを実現することができ、フレーム側板４０１の材料を節減することが可能となる。
【００４２】
さらに、図６に示すように、フレーム側板４０１と、上カバー側板４１２の下方領域と、下カバー側板４２２の上方領域とが、ディスクドライブ内部から順に交互に重なりフレーム側部において３重構造を形成している。このため高さｈ３の領域において、十分な強度を確保することができる。
【００４３】
さらに、上カバー側板４１２の上方領域には水平方向に延在したしぼり４１４が設けられ、このしぼり４１４はその突出面が下カバー側板４２２の外面と同一面上に形成されている。このため、上述した３重構造により、上カバー側板４１２と下カバー側板４２２との両外面が同一面上に位置しない場合でも、ケーシングの側面を略フラットに形成することが可能となり、コンピュータ内部等にディスクドライブを安定して設置することができる。また、しぼり４１４は上カバーの補強リブ作用も有する。
【００４４】
さらに、下カバー側板４２２の上方領域の一部が上カバー側板４１２の下方領域の内側に折り込まれている千鳥格子状の連結部Ｃが設けられている。この千鳥格子状の連結部Ｃでは、上カバー側板４１２と下カバー側板４２２が千鳥格子状に交互に配置されているため、一種の板バネを形成する。このため、ケーシング側部への衝撃的な負荷が分散され、上カバー４１や下カバー４２の変形を防止することができる。
【００４５】
上記実施形態では、フレーム側板４０１と、上カバー側板４１２の下方領域と、下カバー側板４２２の上方領域とが、ディスクドライブ内部から順に交互に重なりフレーム側部において３重構造を形成している。しかし、他の実施形態としてフレームの側板と、下カバーの側板上方領域と、上カバーの側板下方領域とが、ディスクドライブ内部から順に交互に重なりフレーム側部において３重構造を形成することも可能である。この場合、上記しぼり４１４に対応するしぼりは、下カバーの側板下方領域に水平方向に延在するように設けられ、そのしぼりはその突出面が上カバーの側板外面と同一面上に形成されることになる。また、上記千鳥格子状の連結部Ｃに対応する部分では、上カバーの側板下方領域の一部が下カバーの側板上方領域の内側に折り込まれていることになる。いずれも、作用効果は上述した実施形態と同様である。
【図面の簡単な説明】
【００４６】
【図１】本発明の実施形態におけるフレームの斜視図である。
【図２】本発明の実施形態における上カバーの斜視図である。
【図３】本発明の実施形態における下カバーの斜視図である。
【図４】本発明の実施形態におけるフレームと下カバーを組み合わせた状態の斜視図である。
【図５】本発明の実施形態におけるディスクドライブの側面図である。
【図６】図５に示す断面線Ａの断面図である。
【図７】図５に示す断面線Ｂの断面図である。
【図８】図５に示す千鳥格子状の連結部Ｃの部分拡大斜視図である。
【図９】従来のディスクドライブの分解斜視図である
【図１０】従来のディスクドライブの上カバーを取り外した状態における斜視図である。
【図１１】従来のディスクドライブの側面図である。
【図１２】従来のディスクドライブのフレーム１３、上カバー３１及び下カバー３２の相互関係を示す断面説明図である。
【符号の説明】
【００４７】
１１  ディスクテーブル
１２  プリント配線基盤
１３  フレーム
１３１  フレーム背板
１３５  フレーム側板
１３６  フレーム側板上縁
１４  磁気ヘッド
１５  キャリッジアセンブリ
１５２  ＦＰＣ
１６  ステッピングモータ
１７  ガイドバー
２１  イジェクトプレート
２２  ディスクホルダ
３０  スピンドルモータ
３１  上カバー
３１１  上カバー側板
３１２  上カバー側板下縁
３１３  上カバー天板裏面
３２  下カバー
３２１  下カバー側板
３２２  下カバー側板上縁
４０  フレーム
４０１  フレーム側板
４０２  係合凸部
４１  上カバー
４１１  上カバー天板裏面
４１２  上カバー側板
４１３  係合孔
４１４  しぼり
４２  下カバー
４２２  下カバー側板
４２３  折り曲げ部
【図１】
2006018908.tif 000003
【図２】
2006018908.tif 000004
【図３】
2006018908.tif 000005
【図４】
2006018908.tif 000006
【図５】
2006018908.tif 000007
【図６】
2006018908.tif 000008
【図７】
2006018908.tif 000009
【図８】
2006018908.tif 000010
【図９】
2006018908.tif 000011
【図１０】
2006018908.tif 000012
【図１１】
2006018908.tif 000013
【図１２】
2006018908.tif 000014